(57)【要約】【課題】コンパクトに収納でき、持ち運びが容易かつ安価なビデオカメラ用レンズ装置の日除けカバーを提供する。【解決手段】日除けカバー２は、レンズ装置１に取り付けられた取り付け状態において、レンズ装置１の上面１ａを覆う上カバー部材２０と、上カバー部材２０に設けられ、取り付け状態においてレンズ装置１の上面１ａに接触して当該上面１ａと上カバー部材２０との間に隙間を形成するスペーサ２３と、取り付け状態において、レンズ装置１の側面１ｂを覆う側カバー部材２１とを備える。上カバー部材２０と側カバー部材２１は回動自在に連結されており、上カバー部材２０のスペーサ２３が設けられている面に対する上カバー部材２０及び側カバー部材２１の回動軸の離間距離Ｈ’は、前記面に対するスペーサ２３の端部の離間距離Ｈ以上となっている。【選択図】図２
2013156441.tif 000002
【特許請求の範囲】
【請求項１】
撮像装置と接続される箱型のレンズ装置に脱着自在の日除けカバーであって、
前記レンズ装置の上面を覆うための上カバー部材と、
前記レンズ装置の側面を覆うための側カバー部材と、
前記上カバー部材と前記側カバー部材を回動自在に連結する連結部と、
前記上カバー部材の内面に設けられ、前記日除けカバーを前記レンズ装置に装着した状態において、前記レンズ装置の上面と前記上カバー部材との間に隙間を形成するための第一の隙間形成部材とを備え、
前記上カバー部材の前記内面に対する前記連結部の回動軸の離間距離は、前記内面に対する前記第一の隙間形成部材の端部の離間距離以上となっている日除けカバー。
【請求項２】
請求項１記載の日除けカバーであって、
前記側カバー部材を、前記回動軸まわりに前記上カバー部材の前記内面側に向けて付勢する付勢部材を備える日除けカバー。
【請求項３】
請求項１又は２記載の日除けカバーであって、
前記側カバー部材は、前記レンズ装置の２つの側面のうちの一方のみを覆うためのものである日除けカバー。
【請求項４】
請求項１〜３のいずれか１項記載の日除けカバーであって、
前記側カバー部材の内面に設けられ、前記日除けカバーを前記レンズ装置に装着した状態において、前記レンズ装置の側面と前記側カバー部材との間に隙間を形成するための第二の隙間形成部材を備え、
前記上カバー部材と前記側カバー部材が対向するまで回動された状態において、前記第一の隙間形成部材と前記第二の隙間形成部材が互いに非接触となる位置に、前記第一の隙間形成部材及び前記第二の隙間形成部材が設けられる日除けカバー。
【発明の詳細な説明】
【技術分野】
【０００１】
本発明は、ビデオカメラ用レンズ装置の日除けカバーに関する。
【背景技術】
【０００２】
放送用のビデオカメラは屋外で使用されることも多い。ビデオカメラ自体は筐体が黒色のものが多く、このビデオカメラの色と合わせるためや周りから目立ちにくくするために、ビデオカメラに装着して用いられるレンズ装置の筐体も黒色塗装されたものが多くなってきている。
【０００３】
黒色塗装された筐体を持つレンズ装置は、直射日光により内部の温度が上昇しやすくなっており、この温度上昇によってレンズ性能に影響が出てしまう。そこで、従来は、レンズ装置に日除けカバーを装着して温度上昇を防いでいる（特許文献１〜３参照）。
【０００４】
特許文献１は、回動自在に連結された２つのカバー部により構成された日除けカバーを開示している。
【０００５】
特許文献２は、空気の封入、排出の可能な袋状シート材からなる複数の空気封入層を持ち、各空気封入層に空気を封入し、各空気封入層間の境界に沿って折曲げ組立てる構造の日除けカバーを開示している。
【０００６】
特許文献３は、ビデオカメラの光軸方向に略水平に動かすことが可能な日除けカバーを開示している。
【先行技術文献】
【特許文献】
【０００７】
【特許文献１】特開平４−９８９９０号公報
【特許文献２】実開平６−３８３７６号公報
【特許文献３】特開２００４−２８２４５３号公報
【発明の概要】
【発明が解決しようとする課題】
【０００８】
特許文献１、２に記載の日除けカバーは、日除けカバーを使用しないときの日除けカバーの収納形態について考慮されておらず、カメラシステム全体が大きくなってしまう。また、特許文献２に記載の日除けカバーは、レンズ装置内に入射する光に対するカバーであり、レンズ装置全体が直射日光によって温まることを防止するものではない。
【０００９】
特許文献３に記載の日除けカバーは、コンパクトに収納できるものの、空気封入層を設ける等、特殊な構造となっているため、製造コストが高くなる。
【００１０】
本発明は、上記事情に鑑みてなされたものであり、コンパクトに収納でき、持ち運びが容易かつ安価なビデオカメラ用レンズ装置の日除けカバーを提供することを目的とする。
【課題を解決するための手段】
【００１１】
本発明のビデオカメラ用レンズ装置の日除けカバーは、撮像装置と接続される箱型のレンズ装置に脱着自在の日除けカバーであって、前記レンズ装置の上面を覆うための上カバー部材と、前記レンズ装置の側面を覆うための側カバー部材と、前記上カバー部材と前記側カバー部材を回動自在に連結する連結部と、前記上カバー部材の内面に設けられ、前記日除けカバーを前記レンズ装置に装着した状態において、前記レンズ装置の上面と前記上カバー部材との間に隙間を形成するための第一の隙間形成部材とを備え、前記上カバー部材の前記内面に対する前記連結部の回動軸の離間距離は、前記内面に対する前記第一の隙間形成部材の端部の離間距離以上となっているものである。
【発明の効果】
【００１２】
本発明によれば、コンパクトに収納でき、持ち運びが容易かつ安価なビデオカメラ用レンズ装置の日除けカバーを提供することができる。
【図面の簡単な説明】
【００１３】
【図１】本発明の一実施形態を説明するための日除けカバー２の概略構成を示す斜視図
【図２】図１に示すレンズ装置１と日除けカバー２を正面から見た図
【図３】図１に示す日除けカバー２の収納時の状態を示す側面図
【図４】図１に示す日除けカバー２においてＨ＞Ｈ’としたときの収納時の状態を示す側面図
【図５】図２に示す日除けカバー２の変形例を示す図
【図６】図２に示す日除けカバー２の変形例を示す図
【図７】図６に示す日除けカバーを折り畳んだ状態を示す図
【発明を実施するための形態】
【００１４】
以下、本発明の実施形態について図面を参照して説明する。
【００１５】
図１は、本発明の一実施形態を説明するための日除けカバー２の概略構成を示す斜視図である。日除けカバー２は、レンズ装置１に脱着自在となっている。
【００１６】
レンズ装置１は、箱型（例えば直方体）の筐体を有し、この筐体内に図示しないレンズ群が設けられている。また、レンズ装置１には図示しないビデオカメラ等の撮像装置が接続される。そして、レンズ装置１とこれに接続された撮像装置とにより、被写体を撮影するカメラシステムが構成される。
【００１７】
日除けカバー２は、レンズ装置１に取り付けられた取り付け状態において、レンズ装置１の筐体の上面１ａを覆うための上カバー部材２０と、取り付け状態においてレンズ装置１の筐体の２つの側面のうちの一方の側面１ｂを覆うための側カバー部材２１と、上カバー部材２０と側カバー部材２１を回動自在に連結する連結部２２とを備える。上カバー部材２０及び側カバー部材２１は、それぞれ、遮光性と耐久性（剛力性）を兼ね備える板状の部材が用いられる。
【００１８】
上カバー部材２０には通風孔２０ａが形成されている。レンズ装置１に当たる横風の一部をこの通風孔２０ａを通して逃がすことで、レンズ装置１の揺れを防止することができる。
【００１９】
連結部２２は、上カバー部材２０と側カバー部材２１とを回動自在に連結するヒンジ部２２ａと、付勢部材の一例であるコイルばね２２ｂとにより構成されている。
【００２０】
コイルばね２２ｂは、側カバー部材２１を、上カバー部材２０及び側カバー部材２１の回動軸まわりの回動方向に、上カバー部材２０側に向けて付勢する。上カバー部材２０及び側カバー部材２１の回動軸は、ヒンジ部２２ａの回動軸に相当する。
【００２１】
図２は、図１に示すレンズ装置１と日除けカバー２を正面から見た図である。
【００２２】
図２に示すように、上カバー部材２０は、断面がＬ字形状となっており、取り付け状態においてレンズ装置１の上面１ａを覆う矩形の平板部２０ｂと、平板部２０ｂの端部から平板部２０ｂに対して垂直に立設する矩形の平板部２０ｃとにより構成されている。
【００２３】
上カバー部材２０の平板部２０ｂの内面（取り付け状態においてレンズ装置１側にある面）には、取り付け状態においてレンズ装置１の上面１ａと平板部２０ｂの内面との間に隙間を形成するスペーサ（隙間形成部材）２３が複数個設けられている。スペーサ２３は、図１の例では、平板部２０ｂの四隅近傍にそれぞれ設けられている。スペーサ２３は、取り付け状態において、レンズ装置１の上面１ａと平板部２０ｂの内面との間に一定の隙間が形成できるように適当な数が設けられていればよい。
【００２４】
側カバー部材２１の内面（取り付け状態においてレンズ装置１側にある面）には、取り付け状態においてレンズ装置１の側面１ｂと側カバー部材２１の内面との間に隙間を形成するスペーサ（隙間形成部材）２４が複数個設けられている。スペーサ２４は、図１の例では、側カバー部材２１の四隅近傍にそれぞれ設けられている。スペーサ２４は、取り付け状態において、レンズ装置１の側面１ｂと側カバー部材２１の内面との間に一定の隙間が形成できるように適当な数が設けられていればよい。
【００２５】
スペーサ２３，２４の材料は、取り付け状態において、レンズ装置１の筐体上で日除けカバー２が滑らないように、レンズ装置１の筐体に対して摩擦力のあるものを用いるのが好ましい。また、日除けカバー２からの熱がレンズ装置１に伝わるのを防ぐために断熱性があるものが好ましい。更に、レンズ装置１を傷つけない素材であることが好ましい。スペーサ２３，２４は、ゴム等の樹脂、磁石、及び吸盤等を好ましく用いることができる。
【００２６】
日除けカバー２では、上カバー部材２０と側カバー部材２１を互いに近づける方向に折り畳んでコンパクトに収納できるように、スペーサ２３が設けられている上カバー部材２０の面に対する上カバー部材２０及び側カバー部材２１の回動軸（ヒンジ部２２ａの回動軸）Ｊの離間距離（図２中のＨ’）が、前記面に対するスペーサ２３の端部の離間距離（図２中のＨ）以上となっている。
【００２７】
図３は、図１に示す日除けカバー２の収納時の状態を示す側面図である。
【００２８】
日除けカバー２は、上カバー部材２０と側カバー部材２１に何も力を加えていない状態（自然状態）では、連結部２２に含まれるコイルばね２２ｂの付勢力により、側カバー部材２１が回動軸を中心に回動して上カバー部材２０側に近づく。そして、図３のＦＩＧ３Ａに示すように、上カバー部材２０の内面と側カバー部材２１の内面とが略平行になった後、側カバー部材２１が上カバー部材２０側に更に移動して、ＦＩＧ３Ｂに示す状態となり、この状態で安定する。
【００２９】
なお、図３のＦＩＧ３Ｂに示した状態において、上カバー部材２０の平板部２０ｂの内面に設けられたスペーサ２３と、側カバー部材２１の内面に設けられたスペーサ２４とは、互いに非接触となるように、スペーサ２３とスペーサ２４の位置が予め決められている。
【００３０】
図２において、Ｈ＞Ｈ’であると、上カバー部材２０と側カバー部材２１を互いに近づける方向に折り畳んだとき、上カバー部材２０の内面と側カバー部材２１の内面とが平行になる前に、側カバー部材２１がスペーサ２３に接触する（図４参照）。つまり、日除けカバー２の収納時に、上カバー部材２０と側カバー部材２１とが平行にならないため、その分、日除けカバー２のスペーサ２３の立設方向における厚みが大きくなってしまう。これに対し、Ｈ≦Ｈ’であれば、図３に示したように、日除けカバー２の収納時に、上カバー部材２０と側カバー部材２１とが平行にならないことはない。このため、日除けカバー２のスペーサ２３の立設方向における厚みを小さくすることができ、コンパクトな収納が可能になる。
【００３１】
レンズ装置１に日除けカバー２を取り付ける場合には、カメラマンが、図３に示す状態から、上カバー部材２０と側カバー部材２１を互いに離す方向に広げる。そして、カメラマンは、図２に示すように、スペーサ２３をレンズ装置１の上面１ａに接触させ、スペーサ２４をレンズ装置１の上面１ｂに接触させて、日除けカバー２をレンズ装置１に取り付ける。レンズ装置１に取り付けられた日除けカバー２では、コイルばね２２ｂの作用により、側カバー部材２１がレンズ装置１の側面１ｂ側に付勢される。これによって、スペーサ２３，２４が磁石や吸盤以外で構成されていた場合でも、日除けカバー２がレンズ装置１に固定される。
【００３２】
ここまでは、図２において、レンズ装置１の右斜め上に太陽があるときの取り付け例を説明した。図２において、レンズ装置１の左斜め上に太陽があるときには、日除けカバー２の前後を逆にし、側カバー部材２１がレンズ装置１の側面１ｂの反対側の側面にくるように日除けカバー２を取り付ければよい。
【００３３】
以上のように、本実施形態の日除けカバー２によれば、スペーサ２３が設けられている上カバー部材２０の面に対する回動軸Ｊの離間距離が、当該面に対するスペーサ２３の端部の離間距離以上になっているため、上カバー部材２０と側カバー部材２１を折り畳んだ収納時における厚みを小さくすることができる。このようにコンパクトに折り畳めることにより、日除けカバー２の持ち運びが容易になる。また、日除けカバー２は、上カバー部材２０と側カバー部材２１とこれらを連結する連結部２２とにより構成されるシンプルな構成のため、製造コストを低く抑えることができる。また、カバー部材が２つしかないため、折り畳んだときの日除けカバー２の重量も軽くすることができ、この点からも持ち運びが容易になる。
【００３４】
また、日除けカバー２によれば、レンズ装置の光軸方向における位置の調整が容易であるため、様々なタイプのレンズ装置に装着が可能であり、汎用性が高い。
【００３５】
以上説明した日除けカバー２において、コイルばね２２ｂは省略してもよい。コイルばね２２ｂを省略する場合は、側カバー部材２１にある程度の剛性があれば、図２の装着状態において、側カバー部材２１とレンズ装置１との間に隙間が生じるため、スペーサ２４を省略しても問題はない。
【００３６】
また、コイルばね２２ｂとスペーサ２４を省略した場合には、側カバー部材２１が風で揺れないように、図５に示すように、側カバー部材２１の端部に固定用のバネ２１ａを設け、このバネ２１ａをレンズ装置１の下面に引っ掛けて使用できるようにすることが好ましい。なお、バネ２１ａの代わりに、マジックテープ（登録商標）等を用いてもよい。
【００３７】
図６は、図２に示した日除けカバー２の変形例を示す図である。
【００３８】
図６に示す日除けカバー２’は、取り付け状態においてレンズ装置１のもう一方の側面１ｃを覆う側カバー部材２１’と、側カバー部材２１’と上カバー部材２０とを回動自在に連結するヒンジ部２２’を追加し、上カバー部材２０を、平板部２０ｂとこの両端からそれぞれ立設する平板部２０ｃ，２０ｄとから構成されるものに変更した点を除いては、図５に示す日除けカバー２と同じ構成である。
【００３９】
側カバー部材２１’は、例えば側カバー部材２１と同じ材料で構成される。連結部２２’は、連結部２２（ただし、コイルばねは省略）と同じ構成である。
【００４０】
図７は、図６に示す日除けカバー２’の側カバー部材２１と側カバー部材２１’を折りたたんだ状態を示す図である。図６に示す日除けカバー２’によれば、レンズ装置１の両側面を遮光することができるため、遮光性能を向上させることができる。また、折り畳んだ場合、図７に示すように、側カバー部材２１’は上カバー部材２０と平行にならないものの、連結部２２’における回動軸の離間距離がスペーサ２３の端部の離間距離より小さい場合と比べると、日除けカバー２’をコンパクトに収納することができる。なお、図６において、側カバー部材２１，２１’をそれぞれ図２の側カバー部材２１と同じ形状にすることもできる。この構成にした場合には、折り畳んだ状態において、よりコンパクトな収納が可能になる。
【００４１】
図６に示す日除けカバー２’には、折り畳んだ状態での厚みが変わらないように、例えば図７において破線で示した位置にスペーサを設けてもよい。このスペーサを設けた場合には、連結部２２，２２’にコイルばねを追加し、側カバー部材２１，２１’の形状を図１に示す側カバー部材２１と同じ形状にすることができる。
【００４２】
なお、上カバー部材２０と側カバー部材２１，２１’の色は、レンズ装置１が黒色のものが増えているため、レンズ装置１と同様に黒色とすることが好ましい。
【００４３】
また、ヒンジ部２２ａは、図２に示す状態から、側カバー部材２１を更に開く方向に動かせるようなものにしておくことが好ましい。こうすることで、日除けカバー２をレンズ装置１に装着しやすくすることができる。
【００４４】
また、上カバー部材２０と側カバー部材２１の各々にスペーサを設けた日除けカバーであれば、側カバー部材２１をレンズ装置１の上面１ａ上に置き、上カバー部材２０によってレンズ装置１の側面を覆うような使い方も可能である。
【００４５】
以上説明してきたように、本明細書には以下の事項が開示されている。
【００４６】
開示された日除けカバーは、撮像装置と接続される箱型のレンズ装置に脱着自在の日除けカバーであって、前記レンズ装置の上面を覆うための上カバー部材と、前記レンズ装置の側面を覆うための側カバー部材と、前記上カバー部材と前記側カバー部材を回動自在に連結する連結部と、前記上カバー部材の内面に設けられ、前記日除けカバーを前記レンズ装置に装着した状態において、前記レンズ装置の上面と前記上カバー部材との間に隙間を形成するための第一の隙間形成部材とを備え、前記上カバー部材の前記内面に対する前記連結部の回動軸の離間距離は、前記内面に対する前記第一の隙間形成部材の端部の離間距離以上となっているものである。
【００４７】
開示された日除けカバーは、前記側カバー部材を、前記回動軸まわりに前記上カバー部材の前記内面側に向けて付勢する付勢部材を備えるものである。
【００４８】
開示された日除けカバーは、前記側カバー部材が前記レンズ装置の２つの側面のうちの一方のみを覆うためのものである。
【００４９】
開示された日除けカバーは、前記側カバー部材の内面に設けられ、前記日除けカバーを前記レンズ装置に装着した状態において、前記レンズ装置の側面と前記側カバー部材との間に隙間を形成するための第二の隙間形成部材を備え、前記上カバー部材と前記側カバー部材が対向するまで回動された状態において、前記第一の隙間形成部材と前記第二の隙間形成部材が互いに非接触となる位置に、前記第一の隙間形成部材及び前記第二の隙間形成部材が設けられるものである。
【符号の説明】
【００５０】
１    レンズ装置
１ａ  レンズ装置の上面
１ｂ  レンズ装置の側面
２    日除けカバー
２０  上カバー部材
２１  側カバー部材
２２  連結部
２３  スペーサ
【図１】
2013156441.tif 000003
【図２】
2013156441.tif 000004
【図３】
2013156441.tif 000005
【図４】
2013156441.tif 000006
【図５】
2013156441.tif 000007
【図６】
2013156441.tif 000008
【図７】
2013156441.tif 000009